(57)【特許請求の範囲】
【請求項１】
トイレブース用開口部の吊元側に室内側に向けて開放するよう揺動自在に取付けられる吊元側戸体と、該吊元側戸体の戸先側端部に吊元側端部が折畳み継手を介して揺動自在に取付けられ、上端部に設けたガイド体が開口部上枠に設けたガイドレールに案内されて移動することで、吊元側戸体と共に室内側にＶ字形に折畳まれる戸先側戸体とで構成されるトイレブース用の折戸において、戸先側戸体に、室内側から折戸の開閉操作をするための把手が設けられ、戸尻側戸体に、室内側から施錠、解錠操作をするための錠装置が設けられたものにするにあたり、把手は、折畳み継手に近接するよう偏倚した位置に、上下方向に長く、戸先側戸体の室内側面に対して室内側に突出する把持部を備え、錠装置は、折畳み継手に近接するよう偏倚した位置に、吊元側戸体の室内側面から室内側に突出する状態で施錠、解錠操作をするための摘みを備えたものであり、該錠装置の摘みは、把手把持部の上下長さの中間部位に位置し、把手把持部よりも室内側への突出量が少なく、かつ折畳み継手からは把手把持部よりも遠い位置に位置するようにして設けられていることを特徴とする錠装置が設けられるトイレブース用の折戸。
【請求項２】
吊元側戸体は、トイレブースを仕切る仕切りパネル体の先端に設けられた正面パネル体に対して開閉揺動自在に設けられるものであり、錠装置は、折戸が全開姿勢になったとき、吊元側の仕切りパネル体に対向していることを特徴とする請求項１記載の錠装置が設けられるトイレブース用の折戸。
【発明の詳細な説明】
【技術分野】
【０００１】
本発明は、トイレブースの開口部（出入り口）に建て付けられる錠装置が設けられるトイレブース用の折戸の技術分野に関するものである。
【背景技術】
【０００２】
今日、トイレブースの仕切り部屋の開口部（出入り口）に折戸を設けることが試みられているが、このような折戸は、開口部に対して室内側に向けて開放するよう揺動自在に取付けられる吊元側戸体と、該吊元側戸体に対してヒンジユニット等の折畳み継手を介して揺動自在に取付けられ、上端部に設けたガイドローラ等のガイド体が開口部上枠に設けたガイドレールに案内されて移動することで吊元側戸体と共に室内側にＶ字形に折畳まれる戸先側戸体とを備えて構成されることになる。そしてこのような折戸に、室内側から解錠、施錠操作ができる錠装置を設けることがあるが、このような錠装置を、把手と共に戸先側戸体の室内側面に設けたものが知られている（例えば特許文献１参照）。
【先行技術文献】
【特許文献】
【０００３】
【特許文献１】特許第３８３４７９０号公報
【発明の概要】
【発明が解決しようとする課題】
【０００４】
ところでこのように錠装置を把手が設けられる戸先側戸体に設けた場合、折戸を開放して室内に入った者が折戸を閉じようとしたときに、把手がある戸面と同じ面に錠装置が並ぶ状態であるため、把手でなく錠装置に手を触れた状態で折戸を閉じることがあり、このとき錠装置を、誤って摘みを施錠位置に操作してラッチが突出した状態で折戸を閉鎖してしまうことがある。このようになると、誤操作によって突出したラッチがラッチ受けが設けられる上枠に室内側から当接することになって折戸が閉まらないだけでなく、ラッチや戸枠が変形したり破損したりする惧れがあるという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、トイレブース用開口部の吊元側に室内側に向けて開放するよう揺動自在に取付けられる吊元側戸体と、該吊元側戸体の戸先側端部に吊元側端部が折畳み継手を介して揺動自在に取付けられ、上端部に設けたガイド体が開口部上枠に設けたガイドレールに案内されて移動することで、吊元側戸体と共に室内側にＶ字形に折畳まれる戸先側戸体とで構成されるトイレブース用の折戸において、戸先側戸体に、室内側から折戸の開閉操作をするための把手が設けられ、戸尻側戸体に、室内側から施錠、解錠操作をするための錠装置が設けられたものにするにあたり、把手は、折畳み継手に近接するよう偏倚した位置に、上下方向に長く、戸先側戸体の室内側面に対して室内側に突出する把持部を備え、錠装置は、折畳み継手に近接するよう偏倚した位置に、吊元側戸体の室内側面から室内側に突出する状態で施錠、解錠操作をするための摘みを備えたものであり、該錠装置の摘みは、把手把持部の上下長さの中間部位に位置し、把手把持部よりも室内側への突出量が少なく、かつ折畳み継手からは把手把持部よりも遠い位置に位置するようにして設けられていることを特徴とする錠装置が設けられるトイレブース用の折戸である。
請求項２の発明は、吊元側戸体は、トイレブースを仕切る仕切りパネル体の先端に設けられた正面パネル体に対して開閉揺動自在に設けられるものであり、錠装置は、折戸が全開姿勢になったとき、吊元側の仕切りパネル体に対向していることを特徴とする請求項１記載の錠装置が設けられるトイレブース用の折戸である。
【発明の効果】
【０００６】
請求項１の発明とすることにより、錠装置は、折戸を全開姿勢にした場合に、室内側に折畳まれて把手がある戸先側戸体とは反対側に位置する状態になるため、折戸を閉めようとしたときに誤って錠装置に手をやって閉鎖操作することが回避され、この結果、折戸が全閉姿勢になる前に誤操作により錠装置が施錠状態になって折戸が閉まらなくなるような不具合発生を防止することができる。
しかも、全開姿勢の折戸を閉鎖しようとするときに、室内に入った人が視認しやすい戸先側戸体の室内側面に把手が位置することになるため、閉鎖操作時、錠装置を誤って操作することが一段と回避されることになる。
そのうえ、各戸体に別々取付けられる把手と錠装置とが折畳み継手を挟んで近接する側に位置することになるから、把手を把持して閉鎖操作した後に錠装置の施錠操作することが容易になる。
請求項２の発明とすることにより、トイレブースにおいて、折戸が全開姿勢になった場合に、錠装置は、吊元側戸体とトイレブースを仕切る仕切りパネル体とのあいだの狭いスペースに配された状態となるため、誤って錠装置に手を触れた状態で閉鎖操作することの防止がより確実になる。
【図面の簡単な説明】
【０００７】
【図１】トイレブースの正面図である。
【図２】トイレブースの平面図である。
【図３】トイレブースの要部拡大正面図である。
【図４】蓋体を外した状態のトイレブースの要部拡大水平断面図である。
【図５】折戸の開閉軌跡を示す平面図である。
【図６】（Ａ）（Ｂ）はガイドローラの転動状態を示す縦断面図、戸当りがガイドレールに当接した状態を示す縦断面図である。
【図７】錠装置の解錠状態を示す側面図である。
【図８】錠装置の施錠状態を示す側面図である。
【図９】（Ａ）（Ｂ）は錠本体の正面図、本体受けの正面図である。
【発明を実施するための形態】
【０００８】
以下、本発明の実施の形態について、図面に基づいて説明する。図面において、１はトイレブースであって、該トイレブース１は、各トイレ室Ｔを仕切る仕切りパネル体２および該仕切りパネル体２の先端に設けられる正面パネル体３、隣接する正面パネル体３間に形成される出入り口Ａの開閉をする折戸４を用いて戸体Ｄが構成されている。そして折戸４は、本実施の形態では、ブース室外から出入り口Ａを見た場合に、右側が吊元側戸体５、左側が戸先側戸体６となっている（この逆の配置としても勿論よい。）が、吊元側戸体５の右端部（吊元側端部）の上縁部は、後述する上枠（笠木レール）７に設けた上側ヒンジ金具８から突出するヒンジピン８ａによって、下縁部は正面パネル体３の左右方向さ縁部に取付けた下側ヒンジ金具９のヒンジピン９ａによって室内方向に向けて開放するよう揺動自在に軸支されている。尚、ヒンジピン８ａ、９ａは、自動開放、自動閉鎖の何れか一方の機能を有したものを選択できるが、このような自動開閉の機能のないものであっても勿論よい。因みに本実施の形態では、自動開放するものを採用している。
【０００９】
１０は吊元側戸体５と戸先側戸体６とを開閉揺動自在に蝶着するヒンジユニット（本発明の「折畳み継手」に相当する。）であって、該ヒンジユニット１０は、一対の円筒状体の周面部を突き合わせ開口した状態で形成される上下方向に長いパイプ体１１と、該パイプ体１１の上下両端面を塞ぐ上下の蓋体１２と、吊元側、戸先側の両戸体５、６の互いに対向する戸先側、戸尻側エッジ材５ａ、６ａの上下端縁部にそれぞれ固定される上下の取付け金具１３と、該取付け金具１３の蓋体１２と対向する部位１３ａにおけるパイプ体１１の円筒中心位置から該蓋体１２を貫通してパイプ体１１内に至る支軸１４と、パイプ体１１内において互いに噛合する状態で各支軸１４に設けられるギア体１５とを備えて構成されている。
【００１０】
さらに戸先側戸体６の戸先側上端縁にはガイドローラ１６、１７が上下に設けられるが、上側のガイドローラ１６は左右一対設けられたものであって前後方向を向く支持軸１６ａを軸心として回転し、下側のガイドローラ１７は上下方向を向く支持軸１７ａを軸心として回転するように設定されているが、これらガイドローラ１６、１７は、さらに上下方向を向く取付け軸１８を軸心として左右方向に首振り揺動自在に構成されている。
一方、前記上枠７は、下側が開口し、下半部７ａが幅狭で上半部７ｂが幅広な蟻溝形状になっているが、下半部７ａには、上側ガイドローラ１６が転動するガイドレール７ｃと、下側ガイドローラ１７が転動するガイドレール７ｄとが形成されている。
尚、本実施の形態においては、ガイドローラ１６、１７が本発明の「ガイド体」に相当しているがこれに限定されるものではなく、ガイド体としてはピン状のものをガイドレールに案内させて移動させるようにしても実施することができる。
【００１１】
そして吊元側戸体５と戸先側戸体６とは、両戸体５、６が全閉となった面一状態のときには、ガイドローラ１６、１７は上枠７に対して最も戸先側に位置した状態になっている。この状態から折戸４を室外側より例えばパイプ体１１部位に手を当てて室内側に押すと、両戸体５、６は、ギア体１５の噛合位置がずれることになって両戸体５、６はパイプ体１１部位で室内側に折畳まれると同時に、ガイドローラ１６、１７が、折畳まれていく戸先側戸体６に対して上下方向の取付け軸１８を軸心として向きを変えながらガイドレール７ｃ、７ｄを左右方向に移動案内される状態で吊元側に移動することになり、これにより戸体Ｄである折戸４は、折れ曲がり角度が全閉の１８０度の状態から次第に小さくなって室内側に向けてＶ字状に折畳まれて全開姿勢になる。この全開姿勢になると、上側ヒンジ金具８に設けたストッパ８ｂに、上側ガイドローラ１６の支持軸１６ａを支持する支持金具１６ｂの吊元側端が当接することになって、これ以上の折畳み移動が規制される。
【００１２】
一方、全開姿勢になった折戸４を全閉姿勢にするには、パイプ体１１を室外側に押してもよいが、戸先側戸体６の室内側面６ｂに、ヒンジユニット１０に近接するよう偏倚した状態で設けた上下方向に長い棒状の把手部１９ａを備えた把手（ドアハンドル）１９を把持して戸先側若しくは室外側に押しやることで折戸４は閉鎖姿勢に向けて移動する。そして折戸４が全閉姿勢になると、戸先側戸体６の上端部に設けた戸当たり２０が上枠下半部７ａに室内側から当接することになって逆側（室外側）への折畳まりが規制されるようになっている。このように把手１９を戸先側戸体６の室内側面においてヒンジユニット１０に近接する位置に設けることにより、室内に入った人が容易に視認できかつ把持しやすいところに位置することになって把手１９による閉鎖操作がしやすいものになる。
【００１３】
また２１は錠装置であって、該錠装置２１は、吊元側戸体５に設けられたものであり、特に本実施の形態ではヒンジユニット１０に近接する側でかつ把手１９の上下方向中央位置に対応する位置に設けられているが、錠装置２１を構成する錠本体２１ａを、吊元側戸体５に設けた貫通孔５ｂ周囲の室内側面５ｃに当てがう一方、本体受け２１ｂを室外側面５ｄに当てがった状態で、錠本体２１ａ側から図示しないビスを錠受け体２１ｂ側に螺入することで組込まれることになる。尚、本体受け２１ｂは、吊元側戸体５の室外側面５ｄと略面一状になるよう設けられている。
そして錠本体２１ａに設けた摘み２１ｄは、錠本体２１ａと本体受け２１ｂに設けた非常解錠体２１ｅとのあいだに介装した錠軸２１ｆと共に一体回動するようになっているが、錠軸２１ｆには、吊元側戸体５の上端部に至るよう設けたロッド２１ｇの下端部が連結された回転体２１ｈが一体回動するように設けられ、ロッド２１ｇの上端部には、吊元側戸体５の上框５ｅに設けた支持部材５ｆに上下移動自在に支持されたラッチ２１ｉが設けられている。そして摘み２１ｄが解錠位置に位置するときには、図７に示すようにラッチ２１ｉは解錠位置に位置していて、上枠７の下側ガイドローラ用のガイドレール７ｄとは干渉しないようになっているが、摘み２１ｄを施錠位置に操作すると、図８に示すようにラッチ２１ｉが上動することになってガイドレール７ｄに没入して施錠状態となるように構成されている。
尚、錠装置２１の本体受け２１ｂに設けられる非常解錠体２１ｅには、コインを挿入して回すための溝２１ｊが形成されており、トイレ室Ｔ内に人が閉じ込められたような非常時に、該溝２１ｊにコインを差込んで回すことで、ラッチ２１ｉが施錠位置から解錠位置に移動することになり、閉じ込められた人の脱出ができるようになっている。
しかもこのものにおいて、図１から明らかなように、錠装置２１の摘み２１ｄは、前述したように上下方向に長い把持部１９ａの上下長さの中間部位に位置すると共に、さらに図４から明らかなように、該把持部１９ａよりも室内側への突出量が少ないものとなっており、そのうえ図５から明らかなように、折畳み継手１０からは把持部１９ａよりも遠い位置に位置するようにして設けられている。
【００１４】
叙述の如く構成された本実施の形態において、トイレブース１の出入り口Ａに折戸４からなる戸体Ｄが設けられるが、該折戸４は、吊元側が正面パネル体３に対して室内側に向けて開放するよう揺動自在に取付けられる吊元側戸体５と、該吊元側戸体５の戸先側端部に吊元側端部がヒンジユニット１０を介して揺動自在に取付けられ、上端部に設けた上下のガイドローラ１６、１７が上枠７に設けた上下のガイドレール７ｃ、７ｄに案内されて左右方向に移動することで、吊元側戸体５と共に室内側にＶ字形に折畳まれる戸先側戸体６とで構成される折戸であり、この折戸に、室内側から施錠、解錠操作ができる摘み２１ｄが設けられた錠装置２１を設けるにあたり、該錠装置２１は、戸先側戸体６ではなく吊元側戸体５に設けられている。この結果、折戸４を全開姿勢にして室内に入った人が折戸４を閉めようとしたときに、錠装置２１は折畳まれた戸体Ｄに隠れた裏側に位置する状態になっているため、錠装置２１を把持しての折戸４の閉操作がなされることが防止されることになって、誤操作により折戸４が全閉する前に突出したラッチ２１ｉが上枠７に当接して全閉できなくなるような不具合を回避できることになる。
【００１５】
しかもこのものでは、戸先側戸体６の室内側面６ａに把手１９が設けられているため、該把手１９は、室内に入った人が視認しやすい出入り口Ａの開口した側に設けられており、この結果、室内に入った人は、この把手１９を積極的に把持して閉操作することになって錠装置２１を持って閉操作することが一段と防止される。
【００１６】
そのうえこの錠装置２１と把手１９は、各対応する戸体５、６のヒンジユニット１０に近接する側にそれぞれ偏倚した位置に設けられている結果、把手１９を把持して閉操作した手を錠装置２１ｉ移動させて施錠操作することが手早くできることになって操作性が向上する。
【００１７】
この場合に、戸体Ｄである折戸４が全開姿勢になったとき、吊元側戸体５に設けられる錠装置２１は、吊元側の仕切りパネル体２に近接対向していることになって、吊元側戸体５と仕切りパネル体２とのあいだの狭いスペースに配されたものになり、この結果、折戸４を閉鎖しようとする人が、わざわざこの狭いスペースに手を入れて錠装置２１を把持して折戸４の閉操作をするような意識を持たせることが回避され、錠装置２１を把持することがない正常な折戸４の閉操作が行われることになる。
【産業上の利用可能性】
【００１８】
本発明は、トイレブース等の仕切り部屋の出入り口に建て付けられる錠装置付きの折戸の分野に利用することができる。
【符号の説明】
【００１９】
１  トイレブース
２  仕切りパネル体
３  正面パネル体
４  折戸
５  吊元側戸体
５ｃ  室内側面
５ｄ  室外側面
６  戸先側戸体
６ｂ  室内側面
７  上枠
７ｃ、７ｄ  ガイドレール
１０  ヒンジユニット
１６、１７  ガイドローラ
１９  把手
２１  錠装置
Ａ  出入り口
Ｄ  戸体
【図１】
0006705690.tif 000002
【図２】
0006705690.tif 000003
【図３】
0006705690.tif 000004
【図４】
0006705690.tif 000005
【図５】
0006705690.tif 000006
【図６】
0006705690.tif 000007
【図７】
0006705690.tif 000008
【図８】
0006705690.tif 000009
【図９】
0006705690.tif 000010